【手続補正書】
【提出日】平成26年1月10日(2014.1.10)
【手続補正１】
【補正対象書類名】明細書
【補正対象項目名】０００６
【補正方法】変更
【補正の内容】
【０００６】
上記課題を解決するため、本発明の撮像補助装置は、撮像手段による移動体の撮像により生成された画像を表示する表示手段と、前記撮像手段により前記移動体を所定の条件で連続撮像させる連続撮像制御手段と、ユーザによる操作入力手段の所定の入力操作に基づいて、前記表示手段の表示領域における前記移動体の想定される移動軌跡を特定する軌跡特定手段と、前記連続撮像制御手段により連続撮像を行う前記所定の条件に対応して想定される前記移動体の撮像位置を、前記軌跡特定手段により特定された前記移動軌跡に沿って前記表示手段に識別して表示させる表示制御手段と、を備えることを特徴としている。
【手続補正２】
【補正対象書類名】明細書
【補正対象項目名】０００７
【補正方法】変更
【補正の内容】
【０００７】
また、本発明の撮像補助方法は、撮像手段による移動体の撮像により生成された画像を表示する表示手段を備える撮像補助装置を用いた撮像補助方法であって、前記撮像手段により前記移動体を所定の条件で連続撮像させる連続撮像制御処理と、ユーザによる操作入力手段の所定の入力操作に基づいて、前記表示手段の表示領域における前記移動体の想定される移動軌跡を特定する軌跡特定処理と、前記連続撮像制御処理により連続撮像を行う前記所定の条件に対応して想定される前記移動体の撮像位置を、前記軌跡特定処理により特定された前記移動軌跡に沿って前記表示手段に識別して表示させる処理と、を含むことを特徴としている。
【手続補正３】
【補正対象書類名】明細書
【補正対象項目名】０００８
【補正方法】変更
【補正の内容】
【０００８】
また、本発明のプログラムは、撮像手段による移動体の撮像により生成された画像を表示する表示手段を備える撮像補助装置のコンピュータを、前記撮像手段により前記移動体を所定の条件で連続撮像させる連続撮像制御手段と、ユーザによる操作入力手段の所定の入力操作に基づいて、前記表示手段の表示領域における前記移動体の想定される移動軌跡を特定する軌跡特定手段、前記連続撮像制御手段により連続撮像を行う前記所定の条件に対応して想定される前記移動体の撮像位置を、前記軌跡特定手段により特定された前記移動軌跡に沿って前記表示手段に識別して表示させる表示制御手段、として機能させることを特徴としている。
【手続補正４】
【補正対象書類名】特許請求の範囲
【補正対象項目名】全文
【補正方法】変更
【補正の内容】
【特許請求の範囲】
【請求項１】
撮像手段による移動体の撮像により生成された画像を表示する表示手段と、
前記撮像手段により前記移動体を所定の条件で連続撮像させる連続撮像制御手段と、
ユーザによる操作入力手段の所定の入力操作に基づいて、前記表示手段の表示領域における前記移動体の想定される移動軌跡を特定する軌跡特定手段と、
前記連続撮像制御手段により連続撮像を行う前記所定の条件に対応して想定される前記移動体の撮像位置を、前記軌跡特定手段により特定された前記移動軌跡に沿って前記表示手段に識別して表示させる表示制御手段と、
を備えることを特徴とする撮像補助装置。
【請求項２】
前記連続撮像制御手段は、前記撮像手段により前記移動体を所定の撮像間隔で連続撮像させ、
前記表示制御手段は、前記連続撮像における前記所定の撮像間隔に対応して想定される前記移動体の複数の撮像位置を、前記軌跡特定手段により特定された前記移動軌跡に沿って前記表示手段に識別して表示させることを特徴とする請求項１に記載の撮像補助装置。
【請求項３】
前記連続撮像制御手段は、予め指定した撮像間隔で予め指定した撮像枚数だけ、自動的に撮像を繰り返す連続撮像を行わせ、
前記表示制御手段は、前記連続撮像における前記指定した撮像間隔および前記指定した撮像枚数に対応した前記移動体の複数の撮像想定位置を、前記軌跡特定手段により特定された前記移動軌跡に沿って前記表示手段に識別して表示させることを特徴とする請求項２に記載の撮像補助装置。
【請求項４】
前記表示制御手段は、前記連続撮像制御手段による前記移動体の連続撮像の前に、前記移動体の撮像タイミング及び撮像枚数により規定される当該連続撮像処理の開始から終了までの所要時間内での所定の時点までの経過を指示する経過指示画像を、前記軌跡特定手段により特定された前記移動軌跡に対応する形状で前記表示手段に表示させることを特徴とする請求項１〜３の何れか一項に記載の撮像補助装置。
【請求項５】
前記経過指示画像は、前記所要時間を前記移動軌跡の形状に沿って延在する略線状の線形画像の全体の長さで表すとともに、前記連続撮像処理の開始から所定時間が経過した時点を指示する時間指示標識を前記線形画像に対応するように移動させて表す画像を含み、
前記線形画像に対する前記時間指示標識の位置によって、前記所要時間に対して所定の時点までに経過した時間の割合を表すことを特徴とする請求項４に記載の撮像補助装置。
【請求項６】
前記表示制御手段は、更に、
ユーザによる操作入力手段の所定の入力操作に基づいて指定された、前記連続撮像処理における前記撮像手段による前記移動体の撮像タイミング及び撮像枚数のうちの少なくとも一方に基づいて、前記経過指示画像の表示態様を変化させて前記表示手段に表示させることを特徴とする請求項４または５に記載の撮像補助装置。
【請求項７】
前記経過指示画像は、前記所要時間を前記移動軌跡の形状に沿って延在する略線状の線形画像の全体の長さで表すとともに、前記所要時間内における前記移動体の撮像タイミングを指示するタイミング指示標識の画像を含むことを特徴とする請求項４〜６の何れか一項に記載の撮像補助装置。
【請求項８】
ユーザによる前記操作入力手段の入力操作に基づいて前記移動軌跡が入力指示される際の指示時間を特定する時間特定手段と、
この時間特定手段により特定された前記指示時間と前記連続撮像処理における前記撮像手段による前記移動体の撮像枚数とに基づいて、前記連続撮像処理における前記撮像手段による前記移動体の撮像タイミングを設定する第１設定手段と、を更に備えることを特徴とする請求項４〜７の何れか一項に記載の撮像補助装置。
【請求項９】
前記表示手段の表示領域に表示される前記移動体の寸法を特定する寸法特定手段と、
ユーザによる前記操作入力手段の入力操作に基づいて前記移動軌跡が入力指示される際の指示速度を特定する速度特定手段と、
この速度特定手段により特定された前記指示速度と前記寸法特定手段により特定された前記移動体の寸法とに基づいて、前記連続撮像処理における前記撮像手段による前記移動体の撮像タイミング及び撮像枚数を設定する第２設定手段と、を更に備えることを特徴とする請求項４〜８の何れか一項に記載の撮像補助装置。
【請求項１０】
前記表示手段は、前記撮像手段により撮像されたライブビュー画像を表示し、
前記表示制御手段は、前記ライブビュー画像に重畳させて前記経過指示画像を前記表示手段に表示させることを特徴とする請求項４〜９の何れか一項に記載の撮像補助装置。 
【請求項１１】
前記連続撮像処理にて前記撮像手段により連続して撮像された画像の各々から抽出された前記移動体の画像部分を所定の背景画像と合成して合成画像を生成する生成手段を更に備えることを特徴とする請求項１〜１０の何れか一項に記載の撮像補助装置。
【請求項１２】
撮像手段による移動体の撮像により生成された画像を表示する表示手段を備える撮像補助装置を用いた撮像補助方法であって、
前記撮像手段により前記移動体を所定の条件で連続撮像させる連続撮像制御処理と、
ユーザによる操作入力手段の所定の入力操作に基づいて、前記表示手段の表示領域における前記移動体の想定される移動軌跡を特定する軌跡特定処理と、
前記連続撮像制御処理により連続撮像を行う前記所定の条件に対応して想定される前記移動体の撮像位置を、前記軌跡特定処理により特定された前記移動軌跡に沿って前記表示手段に識別して表示させる処理と、
を含むことを特徴とする撮像補助方法。
【請求項１３】
撮像手段による移動体の撮像により生成された画像を表示する表示手段を備える撮像補助装置のコンピュータを、
前記撮像手段により前記移動体を所定の条件で連続撮像させる連続撮像制御手段と、
ユーザによる操作入力手段の所定の入力操作に基づいて、前記表示手段の表示領域における前記移動体の想定される移動軌跡を特定する軌跡特定手段、
前記連続撮像制御手段により連続撮像を行う前記所定の条件に対応して想定される前記移動体の撮像位置を、前記軌跡特定手段により特定された前記移動軌跡に沿って前記表示手段に識別して表示させる表示制御手段、
として機能させることを特徴とするプログラム。